(57)【要約】【課題】  被験者撮影のための上下動する位置付け用椅子及び位置付け用基台部を設けたＸ線撮影装置において、基台部が上下動する椅子に取りつけられ、椅子の上下動に伴い基台部も上下動を行い、且つ基台部が個別に上下動することを特徴とするＸ線撮影装置を提供する。【解決手段】  被験者撮影のための上下動する位置付け用椅子及び位置付け用基台部を設けたＸ線撮影装置において、位置付け用基台部が上下動する位置付け用椅子に取りつけられ、椅子の上下動に伴い基台部も一緒に上下動を行う機構とし、且つ基台部が個別に上下動する機構にすることにより、被験者の位置付け終了後の撮影部位の変更による位置付けの変更を容易に行うことができる。【選択図】  図１
2005278930.tif 000002
【特許請求の範囲】
【請求項１】
Ｘ線発生部とＸ線受像部を、被験者の頭部を挟むように対向した回転アームを有した装置であって、且つ被験者撮影のための上下動する位置付け用椅子及び位置付け用基台部を設けたＸ線撮影装置において、前記基台部が上下動する前記椅子に取りつけられ、前記椅子の上下動に伴い前記基台部も上下動を行い、且つ前記基台部が個別に上下動することを特徴とするＸ線撮影装置。
【請求項２】
被験者の前記椅子への導入を容易にするため、前記基台部が移動することを特徴とした請求項１に記載のＸ線撮影装置。
【請求項３】
前記基台部の個別の上下動による前記回転アームとの干渉及び、前記基台部の移動による前記回転アームとの干渉を防止するセンサーを設けたこと、前記椅子及び前記基台部の個々の高さに関係なく、前記椅子と前記基台部が一定距離以内に近づかないように防止する機構を設けたことを特徴とする請求項１及び請求項２に記載のＸ線撮影装置。
【請求項４】
前記防止機構がセンサーであることを特徴とする請求項１及び請求項２に記載のＸ線撮影装置。
【発明の詳細な説明】
【技術分野】
【０００１】
本発明は、Ｘ線撮影装置に関する。
【０００２】
さらに詳しくは、被験者撮影のための上下動を行う位置付け用椅子及び位置付け用基台部が設けられ、被験者位置付け用の基台部が上下動する椅子に取りつけられ、椅子の上下動に伴い基台部も上下動を行い、且つ基台部が個別に上下動するＸ線撮影装置に関する。
【背景技術】
【０００３】
従来、Ｘ線発生部とＸ線受像部を、被験者の頭部を挟むように対向した回転アームを有する装置において、コーンビームによる撮影では、被験者の位置付けを終了した状態で、撮影部位により被験者の上下動を行う必要が生じた場合、基台部の微調整が必要になる。この時、被験者撮影のための上下動を行う位置付け用椅子及び上下動を行う位置付け用基台部が、個々に上下動を行う場合では、被験者の位置付けを終了してから撮影部位の変更が生じた時、椅子の上下動を行い基台部の微調整が必要である。この場合、位置付けを一度解除してから基台部の上下動を行い再度位置付けを行う必要が生じる。これは術者にとっては、煩雑な位置付け操作をしなければならない。このように椅子と基台部が個々に上下動するものは、煩雑な位置付け操作になり位置付け時間もかかることになる。
【発明の開示】
【発明が解決しようとする課題】
【０００４】
本発明は、以上の状況を鑑みなされたもので、その解決しようとする課題は、以下の通りである。被験者の位置付けを終了した状態で、撮影部位により被験者の上下動を行う必要が生じた場合、位置付けの微調整が必要になる。この時、被験者撮影のための上下動を行う位置付け用椅子及び上下動を行う位置付け用基台部が、個々に上下動を行う場合では、被験者の位置付けを終了してから撮影部位の変更がある時、位置付け用椅子の上下動を行う必要がある。この場合、位置付けを一度解除して位置付け用基台部の上下動を行い再度位置付けを行う必要がある。
【課題を解決するための手段】
【０００５】
被験者撮影のための上下動を行う位置付け用椅子及び位置付け用基台部を設けたＸ線撮影装置において、位置付け用基台部が上下動を行う位置付け用椅子に取りつけられ、椅子の上下動に伴い基台部も一緒に上下動を行う機構とし、且つ基台部が個別に上下動する機構にすることにより、被験者の位置付け終了後の撮影部位の変更による位置付けの変更を容易に行うことができる。
【発明の効果】
【０００６】
位置付け用基台部が上下動する位置付け用椅子に取り付けられ、且つ位置付け用基台部が個別に上下動することにより、被験者の位置付け終了後、撮影部位が変更になつた場合あるいは被験者の高さ方向の微調整が必要な時、被験者の位置付けを解除することなく位置付け用椅子の上下動だけで、目的の位置付け場所に容易にセッティングすることが可能である。また基台部の個別の上下動による回転アームとの干渉及び、基台部の移動による回転アームとの干渉を防ぐセンサーを設けたこと、椅子及び基台部の個々の高さに関係なく、椅子と基台部が一定距離近づかないように防止する機構を設けたことにより、被験者に対して安全な装置を提供することができる。
【発明を実施するための最良の形態】
【０００７】
Ｘ線発生部とＸ線受像部を、被験者の頭部を挟むように対向した回転アームを有した装置であって、且つ被験者撮影のための上下動する位置付け用椅子及び位置付け用基台部を設けたＸ線撮影装置において、基台部が上下動する椅子に取りつけられ、椅子の上下動に伴い基台部も上下動を行い、且つ基台部が個別に上下動することにより、被験者の位置付け終了後の撮影部位の変更による位置付けの変更を容易に行うことができる。
【実施例】
【０００８】
以下実施例に基づいて説明する。図１は、本発明に係るＸ線装置の正面図及び側面図の一例であり、図２は、基台部の詳細図の一例である。また図３は、椅子及び基台部の相互関係を示した図の一例である。図１に示すＸ線装置は、アーム部１、椅子用アクチュエータ２から構成される椅子部３及び基台用アクチュエータ４、基台部用上限ビームセンサー５（本体側にビームセンサー反射板６あり）、前頭部押さえ７から構成される基台部８によって、構成されており図１からわかるように基台部８は、椅子部３に取り付けられている。よって椅子用アクチュエータ２による椅子部３の上下動により基台部８も一緒に上下動する。また基台用アクチュエータ４により基台部８は、個別に上下動することができ、被験者の位置付け終了後でも位置付け状態を解除することなく、椅子部３の上下動が可能となり撮影部位の変更あるいは、位置付け状態の高さ方向の微調整が容易に行うことができる。尚、図２に示すように被験者は、前頭部押さえ７、側頭部押さえ９、チンレスト１０及びベルト１１により構成された基台部８により位置付けされる。また図３は、椅子部３と基台部８の相互関係を示しており被験者導入時は、図のように椅子部３の側面に基台部８が位置している。そして被験者導入後は、基台部８が椅子部３の正面に移動して被験者の位置付けを行うようになっている。
【図面の簡単な説明】
【０００９】
【図１】本発明に係るＸ線装置の正面図及び側面図である。
【図２】本発明に係る基台部の詳細図である。
【図３】本発明に係る椅子及び基台部の相互関係を表したものである。
【符号の説明】
【００１０】
１  アーム部
２  椅子用アクチュエータ
３  椅子部
４  基台用アクチュエータ
５  基台部用上限ビームセンサー
６  ビームセンサー反射板
７  前頭部押さえ
８  基台部
９  側頭部押さえ
１０  チンレスト
１１  ベルト
【図１】
2005278930.tif 000003
【図２】
2005278930.tif 000004
【図３】
2005278930.tif 000005